(57)【要約】【課題】ハンドル部と刃部との接続あるいは連結をしっかりとかつ容易に行うことができて、この接続あるいは連結部分の周囲に突出部分がない綺麗な状態にすることができて、ハンドル部と刃部との分離も簡単に行うことができ、しかも容易に製造することのできるハサミを提供すること。【解決手段】各基端部１１の側面に係合凹凸１２を形成するとともに、これら各基端部１１に皿ビス３０を螺着し得るネジ穴１３を形成し、各ハンドル部２０の取付基部２１に、刃部１０の基端部１１を支持して皿ビス３０用の穴２３を有する刃部支持部２２を中心に残して、この刃部支持部２２の一方側に基端部１１とカバー４０とを収納する第１収納凹所２４を形成し、刃部支持部２２の他方側にカバー４０のみを収納する第２収納凹所２５を形成するとともに、第１収納凹所２４の側壁に刃部１０の係合凹凸１２に係合する突起２６を形成したこと。【選択図】図２
2012245019.tif 000002
【特許請求の範囲】
【請求項１】
一対の刃部１０の各基端部１１に、各刃部１０とは別体のハンドル部２０を個別に取り付けたハサミ１００であって、
各基端部１１の側面に係合凹凸１２を形成するとともに、これら各基端部１１に皿ビス３０を螺着し得るネジ穴１３を形成し、
各ハンドル部２０の取付基部２１に、刃部１０の基端部１１を支持して皿ビス３０用の穴２３を有する刃部支持部２２を中心に残して、この刃部支持部２２の一方側に基端部１１とカバー４０とを収納する第１収納凹所２４を形成し、刃部支持部２２の他方側にカバー４０のみを収納する第２収納凹所２５を形成するとともに、第１収納凹所２４の側壁に刃部１０の係合凹凸１２に係合する突起２６を形成し、
第１収納凹所２４内に収納した基端部１１のネジ穴１３に、刃部支持部２２側からその皿ビス３０用の穴２３を通して挿入した皿ビス３０を螺着することにより、基端部１１を刃部支持部２２に支持させ、
さらに、刃部支持部２２の両側にカバー４０を取り付けるための取付穴または取付ピン２７を形成し、この取付穴または取付ピン２７に挿入される取付ピンまたは取付穴４１をカバー４０に形成して、これらの取付穴及び取付ピン２７及び４１によって、各カバー４０を第１及び第２収納凹所２４及び２５内に取り付けるようにしたことを特徴とするハサミ１００。
【発明の詳細な説明】
【技術分野】
【０００１】
本発明は、紙や布等を切断するハサミに関し、特に、ハンドル部と刃部とを分離可能にしたハサミに関するものである。
【背景技術】
【０００２】
紙や布等を切断するハサミは、一本の枢軸で止めた２本の金属製刃部に、プラスチックや木等の種々な材料からなるハンドル部を取り付けて構成されるものであるが、このハンドル部の刃部に対する一般的な取付方法は、ハンドル部が合成樹脂である場合にはハンドル部を刃部に「モールド」することであり、ハンドル部が木製であればネジや釘あるいはピンで止めことであった。
【０００３】
しかしながら、以上のような一般的な止め方であると、ハンドル部と刃部とを、例えば「ゴミの分別収集」のために分離することが非常に困難となっていた。また、上記の「モールド」方法以外で両者を止める場合、両者の止め位置を外部から決定することは困難であった。
【０００４】
以上のような従来のハサミにおける「分離」や「止め方」を簡単にするために、例えば、特許文献１に示されたような技術がある。
【先行技術文献】
【特許文献】
【０００５】
【特許文献１】特開２００４−１８７７４１号公報、要約、代表図
【発明の概要】
【発明が解決しようとする課題】
【０００６】
特許文献１にて提案されている「ハンドルと刃部分が分離できるハサミ」は、「ハサミのブレードとハンドルを道具を使わず簡単に分離、接合できる方法を提供する」ことを目的としてなされたもので、図６にも示すように、「ブレード本体ＡとハンドルＤとストッパーＢがあり、ブレードＡの２つの突起物Ａ’、Ａ’’とハンドルＤ側部外側Ｄ’、Ｄ’’部分の間にストッパーＢのＣ部分を挿入することによりブレード本体ＡとハンドルＤが固定される」ようにしたものである。これにより、この特許文献１にて提案されている「ハンドルと刃部分が分離できるハサミ」は、「ストッパーＢのＣ部分をブレード突起物Ａ’、Ａ’’より外すことによりハンドルＤとブレードＡを簡単に分離できる」ものとなっていると考えられる。
【０００７】
しかしながら、この特許文献１にて提案されている「ハンドルと刃部分が分離できるハサミ」は、「ブレードＡの２つの突起物Ａ’、Ａ’’」を有していて、これらの「２つの突起物Ａ’、Ａ’’とハンドルＤ側部外側Ｄ’、Ｄ’’部分の間にストッパーＢのＣ部分を挿入する」ものであるため、図６にも示すように、ブレード本体ＡとハンドルＤとの境界部分にストッパーＢが大きく突出するものとなっている。
【０００８】
この突出する部分は、紙や布を切断していく際に、切断された紙や布の引っ掛かり部分となり易く、切断操作がしにくくなるのではないかと考えられる。なによりも、この特許文献１に提案されているようなハサミを製造することは容易ではなく、コストアップしたハサミとならざるを得ないのではないかとも考えられる。
【０００９】
そこで、本発明者等は、ハンドル部と刃部との接続あるいは連結を、その周囲に突出部分がない状態で行えて、しかもハンドル部と刃部との分離も簡単に行えるようにするにはどうしたらよいか、について種々検討を重ねてきた結果、本発明を完成したのである。
【００１０】
すなわち、本発明の目的とするところは、ハンドル部と刃部との接続あるいは連結をしっかりとかつ容易に行うことができて、この接続あるいは連結部分の周囲に突出部分がない綺麗な状態にすることができて、ハンドル部と刃部との分離も簡単に行うことができ、しかも容易に製造することのできるハサミを提供することにある。
【課題を解決するための手段】
【００１１】
以上の課題を解決するために、まず、請求項１に係る発明の採った手段は、後述する実施形態の説明中で使用する符号を付して説明すると、
「一対の刃部１０の各基端部１１に、各刃部１０とは別体のハンドル部２０を個別に取り付けたハサミ１００であって、
各基端部１１の側面に係合凹凸１２を形成するとともに、これら各基端部１１に皿ビス３０を螺着し得るネジ穴１３を形成し、
各ハンドル部２０の取付基部２１に、刃部１０の基端部１１を支持して皿ビス３０用の穴２３を有する刃部支持部２２を中心に残して、この刃部支持部２２の一方側に基端部１１とカバー４０とを収納する第１収納凹所２４を形成し、刃部支持部２２の他方側にカバー４０のみを収納する第２収納凹所２５を形成するとともに、第１収納凹所２４の側壁に刃部１０の係合凹凸１２に係合する突起２６を形成し、
第１収納凹所２４内に収納した基端部１１のネジ穴１３に、刃部支持部２２側からその皿ビス３０用の穴２３を通して挿入した皿ビス３０を螺着することにより、基端部１１を刃部支持部２２に支持させ、
さらに、刃部支持部２２の両側にカバー４０を取り付けるための取付穴または取付ピン２７を形成し、この取付穴または取付ピン２７に挿入される取付ピンまたは取付穴４１をカバー４０に形成して、これらの取付穴及び取付ピン２７及び４１によって、各カバー４０を第１及び第２収納凹所２４及び２５内に取り付けるようにしたことを特徴とするハサミ１００」
である。
【００１２】
以上のように構成した本発明に係るハサミ１００は、各刃部１０の基端部１１を、各ハンドル部２０の第１収納凹所２４内に収納してから、皿ビス３０によって刃部支持部２２に固定し、その上からカバー４０によって覆蓋し、刃部支持部２２の反対側の第２収納凹所２５をカバー４０によって覆蓋することによって形成できるのであるし、一対の刃部１０を枢軸５０によって連結することは従来通り行うのであるから、非常に短時間で簡単に製造し得るものとなっているのである。
【００１３】
勿論、このようなハサミ１００とするに当たって、一対の刃部１０及びハンドル部２０、そしてこれらを枢着する枢軸５０は当然として、少なくとも２個の皿ビス３０と、各ハンドル部２０の取付基部２１の表裏両側について２個、合計４個のカバー４０を用意すればよいのであるから、非常に少ない部品点数で済ませることができる。また、図２に示すように、各刃部１０、各ハンドル部２０の取付基部２１、そして４つのカバー４０については、同一の成形型によって打ち抜き加工あるいは成形で形成できるから、製造型のコストを低く抑えることが可能である。特に、カバー４０については、第１収納凹所２４及び第２収納凹所２５の形状を同じにすることによって、４個全てを同じ型によって製造することが可能であり、ハサミ１００全体のコストを低減し得るものとなっている。
【００１４】
また、各刃部１０の基端部１１は、その側面に形成してある係合凹凸１２が、ハンドル部２０側の第１収納凹所２４内に形成してある突起２６に係合した状態で第１収納凹所２４内に収納され、しかも皿ビス３０によってハンドル部２０の刃部支持部２２に連結されるものであるから、刃部１０とハンドル部２０とが強固に接続あるいは連結されていて、当該ハサミ１００を長期間使用しても、あるいは力を大きく入れて使用しても、刃部１０に対してハンドル部２０が緩むことはなく、まして両者が外れてしまうこともない。
【００１５】
さらに、このハサミ１００においては、図１の（a）及び（b）に示すように、各刃部１０とハンドル部２０との連結部分において、カバー４０によって覆われることによって何らの突出部分が存在しないものとなっており、特許文献１の技術を示す図６との比較からしても、綺麗なものに仕上がっている。このため、当該ハサミ１００には、その使用時に切断した紙や布等に引っ掛かる部分が全く存在せず、切断作業を円滑に行えるものとなっているのである。
【００１６】
そして、このハサミ１００においては、各カバー４０がその取付ピンまたは取付穴４１によってハンドル部２０側の取付穴または取付ピン２７に取り付けてあるから、例えば各カバー４０の刃部１０側端部をマイナスドライバーの先などによって引き起こせば、各カバー４０は容易にハンドル部２０から取り外せる。その後、ドライバーによって各皿ビス３０を取り外せば、各刃部１０とハンドル部２０とは簡単に分離できるのである。このため、分離された刃部１０とハンドル部２０とは、ゴミの分別収集に簡単に応ずることができるのであり、ゴミとして捨てることができるのである。
【００１７】
従って、本発明に係るハサミ１００は、ハンドル部２０と刃部１０との接続あるいは連結をしっかりとかつ容易に行うことができて、この接続あるいは連結部分の周囲に突出部分がない綺麗な状態にすることができて、ハンドル部２０と刃部１０との分離も簡単に行うことができ、しかも容易に製造することができるものとなっているのである。
【発明の効果】
【００１８】
以上の通り、本発明に係るハサミ１００は、
「一対の刃部１０の各基端部１１に、各刃部１０とは別体のハンドル部２０を個別に取り付けたハサミ１００であって、
各基端部１１の側面に係合凹凸１２を形成するとともに、これら各基端部１１に皿ビス３０を螺着し得るネジ穴１３を形成し、
各ハンドル部２０の取付基部２１に、刃部１０の基端部１１を支持して皿ビス３０用の穴２３を有する刃部支持部２２を中心に残して、この刃部支持部２２の一方側に基端部１１とカバー４０とを収納する第１収納凹所２４を形成し、刃部支持部２２の他方側にカバー４０のみを収納する第２収納凹所２５を形成するとともに、第１収納凹所２４の側壁に刃部１０の係合凹凸１２に係合する突起２６を形成し、
第１収納凹所２４内に収納した基端部１１のネジ穴１３に、刃部支持部２２側からその皿ビス３０用の穴２３を通して挿入した皿ビス３０を螺着することにより、基端部１１を刃部支持部２２に支持させ、
さらに、刃部支持部２２の両側にカバー４０を取り付けるための取付穴または取付ピン２７を形成し、この取付穴または取付ピン２７に挿入される取付ピンまたは取付穴４１をカバー４０に形成して、これらの取付穴及び取付ピン２７及び４１によって、各カバー４０を第１及び第２収納凹所２４及び２５内に取り付けるようにしたこと」
にその構成上の特徴があり、これにより、ハンドル部２０と刃部１０との接続あるいは連結をしっかりとかつ容易に行うことができて、この接続あるいは連結部分の周囲に突出部分がない綺麗な状態にすることができて、ハンドル部２０と刃部１０との分離も簡単に行うことができ、しかも容易に製造することのできるハサミ１００を提供することができるのである。
【図面の簡単な説明】
【００１９】
【図１】本発明に係るハサミ１００を示すもので、（a）は正面図、（b）は側面図である。
【図２】同ハサミ１００を構成する部品の主として平面図であり、｛で括ってあるものは、縦断面図や底面図を含んでいる。
【図３】１本の刃部１０の基端部１１をハンドル部２０の第１収納凹所２４内に収納した状態の正面図である。
【図４】１本の刃部１０の基端部１１をハンドル部２０の第１収納凹所２４内に収納しながら皿ビス３０で止める様子を示したもので、（a）は分解図、（b）は断面図である。
【図５】１本の刃部１０の基端部１１をハンドル部２０の第１収納凹所２４内に収納しながら皿ビス３０で止める様子を示した断面図である。
【図６】特許文献１に示されたハサミの正面図である。
【発明を実施するための形態】
【００２０】
次に、上記のように構成した本発明を、図面に示した実施の形態であるハサミ１００について説明すると、図１には、本実施形態に係るハサミ１００の正面図（a）と、側面図（b）とが示してある。このハサミ１００は、枢軸５０によって枢着した左右の刃部１０を有していて、これら各刃部１０の基端部１１（図１では表現できないから図２〜図５に示してある）に、当該刃部１０とは別体に成形した合成樹脂製のハンドル部２０がそれぞれ取り付けてある。なお、枢軸５０は、図２にも示したようなワッシャー５１を介して、図１に示したように、両刃部１０を開閉可能に連結しているものである。
【００２１】
図２には、本実施例に係るハサミ１００を製造するにあたって必要な部品が示してあり、まず、図２の上の段には、左から、ワッシャー５１、２つのカバー４０、そして一対の刃部１０に取り付けられる２個のハンドル部２０が示してある。ここで、ワッシャー５１については、平面図と側面図とで表現してあり、{で括ってあり、２つのカバー４０については、底面図、縦断面図及び平面図とで表現してあって、それぞれ{で括ってあり、これら２つのカバー４０の他にもう２つの同一カバー４０が用いられる。この図２に示した各カバー４０は、その右側に示した２個のハンドル部２０のそれぞれに用いられるものである。勿論、各刃部１０の中央部分には、枢軸５０及びワッシャー５１が挿入されるべき枢軸穴１４が形成してある。
【００２２】
図２の下の段には、左から、皿ビス３０、枢軸５０、及び１本の刃部１０が示してある。皿ビス３０は、各刃部１０の、後述する基端部１１に形成したネジ穴１３に、ハンドル部２０側の刃部支持部２２を介して螺着されるものであり、図２に示した上記各ハンドル部２０については、それぞれ２本づつ使用される。枢軸５０は、図１にも示したように、２本の刃部１０を上記ワッシャー５１を介して枢着するものであり、１本のみ使用されるものである。
【００２３】
各刃部１０は、左右同一のものとして金属によって形成したものであり、図１の枢軸５０より左側部分の互いに対抗する面には所謂「刃付け」がなされていて、枢軸５０の右側の端部には、図２にも示したように、基端部１１が一体的に形成してある。これら各基端部１１は、ハサミ１００として完成されたときにはハンドル部２０の第１収納凹所２４または第２収納凹所２５内に完全に収納されて、表面側からは後述するカバー４０によって覆われるのであるから、図１にも示したように、外からは全く見えない部分となるものである。
【００２４】
また、各刃部１０の本実施形態における基端部１１には、図２〜図５に示したように、係合凹凸１２とネジ穴１３が形成される。係合凹凸１２は、図２に示したように、基端部１１の側面に形成したもので、この係合凹凸１２に対応した、つまり係合し得る突起２６が、後述するハンドル部２０の第１収納凹所２４内に突出形成される。また、この基端部１１自体に形成したネジ穴１３は、本実施形態の場合は２個であるが、１個であっても、２個より多くても良いものであり、いずれにしても、図２に示した皿ビス３０が螺着できるようにしたものである。さらに、このネジ穴１３内には、皿ビス３０全体が螺着及び収納されることになるものであり、皿ビス３０の「皿部」が収納される凹所が、図４の（b）及び図５に示したように、当該ネジ穴１３の上部に形成してある。
【００２５】
実施形態の各ハンドル部２０については、図１及び図２に示したように、親指用と他の指用とに、つまり左右のものの形状が少し異なるものとして形成したものであるが、左右同じ形状のものとして形成してもよいものである。本実施形態の形状が少し異なる各ハンドル部２０の取付基部２１（上記刃部１０の基端部１１が取り付けられる部分）には、刃部支持部２２を残しながら、特に図４の（b）に示したように、刃部支持部２２の両面側に第１収納凹所２４及び第２収納凹所２５が形成してある。
【００２６】
各ハンドル部２０の取付基部２１に形成した刃部支持部２２は、図４の（b）及び図５に示したように、各刃部１０の基端部１１が皿ビス３０によって取り付けられる場所となるものであり、この刃部支持部２２には、図４の（a）にも示したように、皿ビス３０のネジ部が挿通されることになる穴２３が形成してある。
【００２７】
第１収納凹所２４は、刃部支持部２２の一方側に形成されて、基端部１１とカバー４０とを収納するものであり、第２収納凹所２５は、刃部支持部２２の他方側に形成したもので、カバー４０のみを収納するものである。そして、これらの第１収納凹所２４及び第２収納凹所２５内には、図２の（a）等に示したように、後述する各カバー４０の取付ピンまたは取付穴４１が挿入される取付穴または取付ピン２７が形成してあるが、この取付穴または取付ピン２７が「取付ピン」であれば、取付ピンまたは取付穴４１は「取付穴」となるものである。
【００２８】
また、基端部１１とカバー４０とを収納する第１収納凹所２４には、特に図２の（a）に示したように、刃部１０側の基端部１１に形成した係合凹凸１２が係合されることになる突起２６が形成してあって、この突起２６は、刃部１０の基端部１１の位置決め及び抜け止めを果たすことになるものである。
【００２９】
以上の第１収納凹所２４及び第２収納凹所２５の各取付穴または取付ピン２７に取付ピンまたは取付穴４１によって取り付けられるカバー４０は、図２に示したような平面形状のものであって、それぞれ第１収納凹所２４及び第２収納凹所２５内に完全に収納されるものとして合成樹脂を材料として形成されるものであるが、当然に、各第１収納凹所２４及び第２収納凹所２５の形状に合わせた平面形状のものに成形される。換言すれば、各ハンドル部２０が左右対称のものとして形成されるのであれば、第１収納凹所２４及び第２収納凹所２５は平面視同形状のものとして形成すればよいから、４つのカバー４０は、平面視同一形状のものとして形成されることになる。
【００３０】
勿論、これら各カバー４０の取付ピンまたは取付穴４１は、上記各ハンドル部２０側の取付穴または取付ピン２７と同一位置に形成されるものであり、かつ、その長さも各取付穴または取付ピン２７の深さと同じにしてある。そして、これら各取付ピンまたは取付穴４１は、各カバー４０の本体部に対して、これと同一の合成樹脂材料によって一体成形されるものである。
【符号の説明】
【００３１】
１００    ハサミ
１０    刃部
１１    基端部
１２    係合凹凸
１３    ネジ穴
１４    枢軸穴
２０    ハンドル部
２１    取付基部
２２    刃部支持部
２３    穴
２４    第１収納凹所
２５    第２収納凹所
２６    突起
２７    取付穴または取付ピン
３０    皿ビス
４０    カバー
４１    取付ピンまたは取付穴
５０    枢軸
５１    ワッシャー
【図１】
2012245019.tif 000003
【図２】
2012245019.tif 000004
【図３】
2012245019.tif 000005
【図４】
2012245019.tif 000006
【図５】
2012245019.tif 000007
【図６】
2012245019.tif 000008